(57)【特許請求の範囲】
【請求項１】
配電線における地絡事故を検知してリレー盤を動作させることにより当該配電線を保護する継電器の該配電線側と該リレー盤側の間の配線途中に介在して接続状態を維持する一対の第１、第２接続電極間に進入して該接続状態を遮断するベース部材と、
前記ベース部材を前記第１、第２接続電極間に進入させたときに前記配電線側の当該第１接続電極に導通接触するように該ベース部材に設けられている第１進入電極と、
前記ベース部材を前記第１、第２接続電極間に進入させたときに前記リレー盤側の当該第２接続電極に導通接触するように該ベース部材に設けられている第２進入電極と、
前記第１、第２進入電極の間に配設されて前記リレー盤側と直列接続されることによる該リレー盤側との間に生じる分圧を調整する電圧調整部と、
を有して、
前記電圧調整部は、前記第１、第２進入電極間の抵抗値を大まかに調整する粗調整部と、前記第１、第２進入電極間の抵抗値を微調整する微調整部と、を具備し、
前記第１、第２進入電極および前記電圧調整部は、前記配電線における各相毎に対応して備えていることを特徴とする継電器の試験ターミナル用調整装置。
【請求項２】
前記ベース部材は、前記継電器に準備されている試験ターミナル内に着脱可能で装着時には安定して装着状態を維持可能な形状に形成されて、当該装着時に前記第１、第２接続電極間に進入して該接続状態を遮断するように作製されており、該試験ターミナルから露出する一端部に前記電圧調整部が配設されていることを特徴とする請求項１に記載の継電器の試験ターミナル用調整装置。
【請求項３】
前記電圧調整部は、前記配電線における各相毎に個別あるいは共通に調整するように構成されていることを特徴とする請求項１または２に記載の継電器の試験ターミナル用調整装置。
【請求項４】
前記ベース部材は、前記継電器の外装カバーに形成されている開口内に差し込む形態に形成されて、
前記電圧調整部は、前記ベース部材の差込方向に対する直交方向に延在するように回路形成されていることを特徴とする請求項１から３のいずれか１項に記載の継電器の試験ターミナル用調整装置。
【請求項５】
配電線における地絡事故を検知してリレー盤を動作させることにより当該配電線を保護する継電器であって、
前記配電線側と前記リレー盤側の間の配線途中に介在して導通接触する接続状態を維持するとともに離隔して遮断状態に変移可能な一対の第１、第２接続電極を有して、
上記請求項１から４のいずれか１項に記載の試験ターミナル用調整装置を着脱自在に備えることを特徴とする継電器。
【請求項６】
配電線における地絡事故を検知してリレー盤を動作させることにより当該配電線を保護する継電器の外装カバーに開口している試験ターミナル内に、上記請求項１から４のいずれか１項に記載の試験ターミナル用調整装置を装着して、前記第１、第２接続電極間の前記電圧調整部における前記リレー盤側との間に生じる分圧を調整することを特徴とする継電器の整定方法。
【請求項７】
前記配電線側の変化に応じた前記リレー盤側と前記電圧調整部との間の分圧比を取得して、当該分圧比に基づいて当該電圧調整部を調整することを特徴とする請求項６に記載の継電器の整定方法。
【発明の詳細な説明】
【技術分野】
【０００１】
本発明は、継電器およびその試験ターミナル用調整装置並びに継電器の整定方法に関し、詳しくは、配電線側の状態の変化に応じたリレー盤の整定を容易化するものに関する。
【背景技術】
【０００２】
６．６ｋＶ配電線においては、母連ＣＢ（サーキットブレーカ）入によるバンク（変圧器）切替等の作業を行う際に、その地絡母線特性が変化することから、継電器の整定をし直す必要がある。
【０００３】
この整定を精度よく行うためには、停電させて地絡リレーをロックした上で行う人工地絡によるＤＧ一次試験、あるいは、リレーへの模擬電圧入力による整定変更を行う必要がある（例えば、特許文献１、２）。
【０００４】
しかし、このバンク切替等の作業に伴う地絡母線特性の変化は１〜３日程度であり、短期間で作業前の地絡母線特性に復帰することから、整定には、手間が掛かるＤＧ一次試験などは適さない。
【０００５】
その一方で、配電線の地絡保護も確実に行う必要があることから、リレー盤が備える可変抵抗のボリュームを利用して６４Ｖ１の整定を変更することで応急対応しており、この６４Ｖ１の整定では、目盛を基準にする目視によるボリューム調整で大まかに整定調整することができる。
【先行技術文献】
【特許文献】
【０００６】
【特許文献１】特開平８−４７１６４号公報
【特許文献２】特開２００８−２６３７６２号公報
【発明の概要】
【発明が解決しようとする課題】
【０００７】
このような６４Ｖ１の整定として、大まかなボリューム調整ではなく、より精度よく整定する場合には、上記のＤＧ一次試験などを行うか、あるいは、精度よく設定変更可能なデジタルリレーに取り替えて現実の地絡母線特性に適した整定値に正確に調整する必要がある。
【０００８】
しかしながら、短期の整定変更のために、手間の掛かるＤＧ一次試験などを行ったり、デジタルリレーに取り替えるのは現実的でない。
【０００９】
また、バンク切替等の作業前の整定値に復帰させる際にも、大まかなボリューム調整になる。
【００１０】
このことから、高精度に調整された整定値で動作する状態にして継電器を機能させるために、手間無く一時的に精度よく整定値を調整することのできる何らかの手段が必要であることは明らかであるが、現実的には実現されていなかった。
【００１１】
そこで、本発明は、簡易に整定値を高精度に調整して変更することができるとともに、簡易に元の整定値に復帰させることのできる継電器およびその試験ターミナル用調整装置並びに継電器の整定方法を提供することを目的としている。
【課題を解決するための手段】
【００１２】
上記課題を解決する継電器の試験ターミナル用調整装置の発明の一態様は、配電線における地絡事故を検知してリレー盤を動作させることにより当該配電線を保護する継電器の該配電線側と該リレー盤側の間の配線途中に介在して接続状態を維持する一対の第１、第２接続電極間に進入して該接続状態を遮断するベース部材と、前記ベース部材を前記第１、第２接続電極間に進入させたときに前記配電線側の当該第１接続電極に導通接触するように該ベース部材に設けられている第１進入電極と、前記ベース部材を前記第１、第２接続電極間に進入させたときに前記リレー盤側の当該第２接続電極に導通接触するように該ベース部材に設けられている第２進入電極と、前記第１、第２進入電極の間に配設されて前記リレー盤側と直列接続されることによる該リレー盤側との間に生じる分圧を調整する電圧調整部と、を有して、前記第１、第２進入電極および前記電圧調整部は、前記配電線における各相毎に対応して備えていることを特徴とするものである。
【００１３】
上記課題を解決する継電器の発明の一態様は、配電線における地絡事故を検知してリレー盤を動作させることにより当該配電線を保護する継電器であって、前記配電線側と前記リレー盤側の間の各相毎の配線途中に、該リレー盤側と直列接続されて当該リレー盤側との間に生じる分圧を調整する電圧調整部を備えることを特徴とするものである。
【００１４】
上記課題を解決する継電器の整定方法の発明の一態様は、配電線における地絡事故を検知してリレー盤を動作させることにより当該配電線を保護する継電器の外装カバーに開口している試験ターミナル内に、上記の試験ターミナル用調整装置を装着して、前記第１、第２接続電極間の前記電圧調整部における前記リレー盤側との間に生じる分圧を調整することを特徴としている。
【発明の効果】
【００１５】
このように、本発明の一態様によれば、配電線側とリレー盤側の間の各相毎の配線途中に電圧調整部を介在させて、その間の分圧を調整することができ、現状の系統における整定値（電圧）を分圧してリレー盤の動作電圧に一致するように調整することができる。したがって、リレー盤自体の整定値を系統に応じて都度調整することなく、電圧調整部を介在させて分圧調整するだけで、リレー盤が信頼性高く動作するように整定することができ、その電圧調整部を離脱させるだけで元の整定値に復帰させることができる。この結果、その電圧調整部によりバンク切替等の作業で変化した地絡母線特性に応じた整定値に精度よく調整することができ、地絡事故時にリレー盤を信頼性高く機能させて配電線を保護することができる。
【図面の簡単な説明】
【００１６】
【図１】本発明の一実施形態に係る継電器およびその試験ターミナル用調整装置並びに継電器の整定方法を示す図であり、その継電器の概略全体構成を示す概念図である。
【図２】その試験ターミナル用調整装置を示す図であり、（ａ）はその上面図、（ｂ）はその側面図である。
【図３】その試験ターミナル用調整装置における一部断面接続図である。
【図４】その試験ターミナル用調整装置内に構成する一部断面回路図である。
【図５】その継電器側が備える試験ターミナル（ＰＴＴ）を示す図であり、（ａ）はその上面図、（ｂ）はその正面図、（ｃ）はその側面図、（ｄ）はその背面図である。
【図６】その継電器側が備える試験ターミナル（ＰＴＴ）にセット可能な既設のプラグの一例を示す図であり、（ａ）はその上面図、（ｂ）はその正面図、（ｃ）はその側面図である。
【発明を実施するための形態】
【００１７】
本発明の継電器の試験ターミナル用調整装置の実施形態の一態様としては、配電線における地絡事故を検知してリレー盤を動作させることにより当該配電線を保護する継電器の該配電線側と該リレー盤側の間の配線途中に介在して接続状態を維持する一対の第１、第２接続電極間に進入して該接続状態を遮断するベース部材と、前記ベース部材を前記第１、第２接続電極間に進入させたときに前記配電線側の当該第１接続電極に導通接触するように該ベース部材に設けられている第１進入電極と、前記ベース部材を前記第１、第２接続電極間に進入させたときに前記リレー盤側の当該第２接続電極に導通接触するように該ベース部材に設けられている第２進入電極と、前記第１、第２進入電極の間に配設されて前記リレー盤側と直列接続されることによる該リレー盤側との間に生じる分圧を調整する電圧調整部と、を有して、前記第１、第２進入電極および前記電圧調整部は、前記配電線における各相毎に対応して備えているのに加えて、次の構成を備えてもよい。
【００１８】
調整装置の実施形態の第１の他の態様としては、前記ベース部材は、前記継電器に準備されている試験ターミナル内に着脱可能で装着時には安定して装着状態を維持可能な形状に形成されて、当該装着時に前記第１、第２接続電極間に進入して該接続状態を遮断するように作製されており、該試験ターミナルから露出する一端部に前記電圧調整部が配設されていてもよい。
【００１９】
この態様では、継電器には試験ターミナルが予め設置されており、そのターミナル内にベース部材を抜き差しするだけで、第１、第２進入電極と第１、第２接続電極を導通接続させて電圧調整部を配電線およびリレー盤の間に介在させることができる。したがって、特別な設計変更等を行うことなく、本発明の一態様を機能させて高精度な整定を行うことができ、既存の設備のまま地絡事故時に信頼性高く機能するようにリレー盤を整定することができる。
【００２０】
調整装置の実施形態の第２の他の態様としては、前記電圧調整部は、前記配電線における各相毎に個別あるいは共通に調整するように構成されていてもよい。
【００２１】
この態様では、整定を配電線の各相毎の操作により、あるいは、各相共通の操作により調整することができる。したがって、個別に高精度に整定値を調整することができ、あるいは、整定値を迅速に調整することができる。
【００２２】
調整装置の実施形態の第３の他の態様としては、前記電圧調整部は、前記第１、第２進入電極間の抵抗値を大まかに調整する粗調整部と、前記第１、第２進入電極間の抵抗値を微調整する微調整部と、を備えていてもよい。
【００２３】
この態様では、粗調整部と微調整部とで整定値を調整することができ、粗調整部で大まかに調整した後に微調整部で精度よく調整することができる。したがって、迅速かつ容易に整定値を精度よく調整することができる。
【００２４】
調整装置の実施形態の第４の他の態様としては、前記ベース部材は、前記継電器の外装カバーに形成されている開口内に差し込む形態に形成されて、前記電圧調整部は、前記ベース部材の差込方向に対する直交方向に延在するように回路形成されていてもよい。
【００２５】
この態様では、ベース部材を差し込む外装カバーの外面に沿う方向に回路形成することができる。したがって、外装カバーから突出する形態になって邪魔になることなく、コンパクトに設置することができる。
【００２６】
本発明の継電器の実施形態の一態様としては、配電線における地絡事故を検知してリレー盤を動作させることにより当該配電線を保護する継電器であって、前記配電線側と前記リレー盤側の間の各相毎の配線途中に、該リレー盤側と直列接続されて当該リレー盤側との間に生じる分圧を調整する電圧調整部を備えるのに加えて、次の構成を備えてもよい。
【００２７】
継電器の実施形態の第１の他の態様としては、前記配電線側と前記リレー盤側の間の配線途中に介在して導通接触する接続状態を維持するとともに離隔して遮断状態に変移可能な一対の第１、第２接続電極を有するとともに、上記のいずれかの試験ターミナル用調整装置を着脱自在に備えていてもよい。
【００２８】
この態様では、継電器内に常設する形態でもよいが、継電器に予め設置されている試験ターミナルを利用する上記の整定装置を着脱して整定調整を行うようにして、簡易に高精度な整定作業を実現することができる。
【００２９】
本発明の継電器の整定方法の実施形態の一態様としては、配電線における地絡事故を検知してリレー盤を動作させることにより当該配電線を保護する継電器の外装カバーに開口している試験ターミナル内に、上記のいずれかの試験ターミナル用調整装置を装着して、前記第１、第２接続電極間の前記電圧調整部における前記リレー盤側との間に生じる分圧を調整する構成を備えるのに加えて、次の構成を備えてもよい。
【００３０】
継電器の整定方法の実施形態の第１の他の態様としては、前記配電線側の変化に応じた前記リレー盤側と前記電圧調整部との間の分圧比を取得して、当該分圧比に基づいて当該電圧調整部を調整するように構成されていてもよい。
【００３１】
この態様では、系統の一時的な変更などがある場合に、その変更に伴うリレー盤に掛かる電圧の変化に応じて電圧調整部との間の分圧調整をすることができる。したがって、そのリレー盤には系統の変更などに影響されることなく、見掛け上の整定値を同一に維持することができ、地絡事故時に信頼性高く機能するようにリレー盤を整定することができる。
【００３２】
以下、図面を参照して、本発明の実施形態について詳細に説明する。図１〜図５は本発明の一実施形態に係る継電器およびその試験ターミナル用調整装置並びに継電器の整定方法を示す図である。
【００３３】
図１において、継電器１０は、配電線部Ｄの配電状態を検出する変流器１１をリレー盤（スイッチギア）１２に接続して、不足電圧異常や過電圧異常などが発生したことを検出することにより、要素２７や要素６４Ｖ１や要素１０Ｇなどの各種リレーを動作させるように構築されており、地絡事故などの発生した系統の配電線を保護するように機能する。
【００３４】
この継電器１０は、設置時などには人工地絡によるＤＧ一次試験等を行って、各種リレーの動作電圧を精度よく整定するようになっており、過電圧異常時に動作する要素６４Ｖ１では、変流器１１の検出電圧により動作する電圧値をＰＴ方式（巻線による変圧）あるいはＰＤ方式（コンデンサによる変圧）による不図示の整定機構でボリューム調整して精度よく整定するようになっている。なお、この設置時などの整定は、人工地絡によるＤＧ一次試験等を行って実測調整するので精度よく調整することができる。
【００３５】
また、継電器１０には、図５に示すポテンシャル・テスト・ターミナル（以下、単にＰＴＴともいう）２０が準備されており、このＰＴＴ２０は、図６に示す各種試験用のターミナルプラグ３０を差し込んで各種試験を簡易かつ容易に行うことができるようになっている。
【００３６】
ＰＴＴ２０は、図５に示すように、前面部２１がリレー盤１２の外装カバーの一部を構成して、本体部２３がその内部に位置するように取り付けられている。前面部２１内には、ターミナルプラグ３０を差込可能な差込口（開口）２１ａが形成されており、本体部２３の背面部２２には、例えば、ＰＴ方式による整定機構（配電線部Ｄ側）とリレー６４Ｖ１（リレー盤１２側）のそれぞれから延長されている配線をネジ止めして接続する一対の接続端子部２２ａが配電線部Ｄの各相毎に対応するように４組配置されている。ここで、リレー盤１２は、前面側に不図示の開閉扉が設置されており、ターミナルプラグ３０などは、ＰＴＴ２０の差込口２１ａ内に差し込んだ状態にしたときに、リレー盤１２の前面側の開閉扉で覆って内部に収容されている状態にできるようになっている。
【００３７】
また、ＰＴＴ２０の本体部２３は、配電線部Ｄの各相毎に対応する一対の接続端子部２２ａのそれぞれに導通接続されている一対の不動電極２４と、この不動電極２４毎に圧接して導通接触するようにスプリング２６により付勢されているとともに、異なる不動電極２４が接続されている背面部２２の接続端子部２２ａに導通接続されている可動電極（第１、第２接続電極）２５と、を内蔵している。
【００３８】
このＰＴＴ２０の未使用時には、本体部２３内の不動電極２４と可動電極２５がスプリング２６の弾性力により圧接して導通接続されており、整定機構（配電線部Ｄ側）とリレー６４Ｖ１（リレー盤１２側）のそれぞれが接続されている一対の接続端子部２２ａ間を短絡させて直接導通する状態を維持している。このＰＴＴ２０の差込口２１ａ内へのターミナル２０などの差込時には、本体部２３内の不動電極２４と可動電極２５を離隔させるように、その間にそのターミナル２０などが進入してその直接接続を解消するのと同時に、そのターミナル２０を介して可動電極２５から接続端子部２２ａを経由する経路により整定機構とリレー６４Ｖ１の導通状態を維持するようになっている。なお、この配電線部Ｄは、中性線を含む三相４線式を採用しており、このため、ＰＰＴ２０では一対の可動電極２５などはそれぞれ４組準備されている。以下、同様である。
【００３９】
ターミナルプラグ３０は、図６に示すように、ベース部材３１と、一対の差込電極（第１、第２進入電極）３２と、接続端子部３３と、を備えている。ベース部材３１は、ＰＴＴ２０の前面部２１の差込口２１ａ内に差込（進入）可能に、断面がその開口形状と略同一形状に形成されているとともに、その差込方向に延在して差込（装着）状態を維持可能に形成されており、その差込時には、本体部２３の可動電極２５を互いに離隔する方向に移動させて不動電極２４との導通接触を解消して整定機構とリレー６４Ｖ１が直接接続する状態を遮断する。差込電極３２は、ベース部材３１外面の可動電極２５との間に進入して圧接する両面側に、それぞれ互いの絶縁状態を維持するように配設されており、その可動電極２５が導通する配電線部Ｄの各相毎に対応している。接続端子部３３は、差込電極３２毎に導通して各種試験器からのケーブルを接続するようになっている。
【００４０】
このターミナルプラグ３０の接続端子部３３は、ＰＴＴ２０の前面部２１の差込口２１ａ内に差し込んだときに、その前面部２１から外部に露出するベース部材３１の一端部３１ａに配設されており、ベース部材３１の一端部３１ａ側に配置されて配電線部Ｄの各相毎に対応する一対の差込電極３２の内の一方に導通する接続電極３３ａと、そのベース部材３１の一端部３１ａから離隔する側に配置されてその一対の差込電極３２の内の他方に導通する接続電極３３ｂと、が互いの絶縁状態を維持するように形成されている。
【００４１】
これにより、ターミナルプラグ３０は、配電線部Ｄを停電させることなく、接続端子部３３の接続電極３３ａ、３３ｂの間に各種計測器などを接続して介在させている状態で、ＰＴＴ２０の前面部２１の差込口２１ａ内にベース部材３１と共に差込電極３２を差し込んだときには、配電線部Ｄの各相毎に一対の差込電極３２と可動電極２５を介して整定機構とリレー６４Ｖ１の間にその各種計測器などを設置することができ、また、そのＰＴＴ２０の前面部２１の差込口２１ａ内から引き抜くだけで可動電極２５を不動電極２４に再度導通接触させて整定機構とリレー６４Ｖ１の間を直接導通する状態に復帰させることができる。
【００４２】
そして、この継電器１０は、ターミナルプラグ３０に代えて、高精度かつ容易な整定を実現する調整プラグ５０をＰＴＴ２０に着脱可能に設置できるようになっており、その調整プラグ５０は、図２に示すように、ターミナルプラグ３０と同様に、ベース部材３１および差込電極３２を備えて、その一対の差込電極３２間に電圧調整部５１を直列接続する回路に形成されている。なお、本実施形態では、中性線を除く３相３線の配電線部Ｄに対応するように３組の差込電極３２間に電圧調整部５１を直列接続させている。
【００４３】
この調整プラグ５０の電圧調整部５１は、図３および図４にも図示するように、抵抗値を大まかに調整可能な粗調整部５２と、その抵抗値を微調整可能な微調整部５６と、が導通接続されているとともに、それぞれ差込電極３２にも接続されて直列回路に構築されている。
【００４４】
この電圧調整部５１の粗調整部５２は、ベース部材３１の差込電極３２の並列方向に延在する長尺導電バー５３と、この長尺導電バー５３の延在方向の均等間隔に開口する差込穴５３ａ内に引抜可能に差し込んで導通接続させることのできる導電タップピン５４と、長尺導電バー５３と平行に延在するように設置されて、長尺導電バー５３の差込穴５３ａに差し込んだ導電タップピン５４の先端に導通接触する選択接点５５ａを延在方向の複数箇所に配設されている変圧用巻線ケーブル５５と、により構築されており、長尺導電バー５３の一端側に微調整部５６が導通接続されてその微調整部５６にリレー盤１２（６４Ｖ１）側が接続されているとともに、変圧用巻線ケーブル５５の他端部に配電線部Ｄ（ＰＴ整定機構）側が接続されて、直列回路になるように構築されている。
【００４５】
これにより、粗調整部５２は、長尺導電バー５３や変圧用巻線ケーブル５５がベース部材３１の幅方向に延在して、言い換えると、ベース部材３１の差込方向に対する直交方向に延在してリレー盤１２の外装カバーに沿うように設置することができる。このため、この粗調整部５２は、ベース部材３１の一端部３１ａ側をコンパクトに構築することができ、リレー盤１２の前面側を覆う開閉扉の機能を損なうことなく、その開閉扉内に収容する状態にすることができる。このことから、調整プラグ５０は、容易かつ負担なく持ち運ぶことができるとともに、別途配線することもなく利用することができ、また、リレー盤１２の開閉扉を閉めることができるので、雨や小動物が進入すること制限する機能を損なってしまうこともない。
【００４６】
また、粗調整部５２は、長尺導電バー５３のいずれかの差込穴５３ａ内に導電タップピン５４を差し込んで変圧用巻線ケーブル５５の選択接点５５ａに導通接続させることにより、微調整部５６の抵抗成分を加算する抵抗値を決定することができる。すなわち、粗調整部５２は、長尺導電バー５３の差込穴５３ａ内に差し込む導電タップピン５４の差込位置に応じて回路内に介在する変圧用巻線ケーブル５５の長さを変更することができ、リレー盤１２（６４Ｖ１）側が動作する整定済みの整定値（分圧値）を変更して調整することができる。
【００４７】
一方、微調整部５６は、例えば、捩じるようにして回転させることにより抵抗値を微調整することができるボリューム式の抵抗器であり、粗調整部５２が長尺導電バー５３の差込穴５３ａ毎の変圧用巻線ケーブル５５長に応じて１Ｖレンジで整定値（分圧値）を粗調整するのに対して、０．１Ｖレンジでボリューム調整可能な種別が採用されている。
【００４８】
これにより、リレー盤１２（６４Ｖ１）の動作する整定値が配電線部Ｄの一時的な系統変更により１〜３日程度の短期間だけ変更する必要がある場合には、次のような整定手順（方法）により継電器１０の整定を高精度に行うことができる。
【００４９】
例えば、継電器１０が配電線部Ｄの系統変更前には変流器１１の検出電圧が１０Ｖ程度で動作する整定値であるところをその系統変更に応じた整定値として、その変流器１１の検出電圧が５Ｖで動作する分圧比になるように整定する必要があるときには、粗調整部５２で大まかに数Ｖだけ変更する程度の整定になる、長尺導電バー５３の差込穴５３ａを選択して導電タップピン５４を差し込むことにより、変圧用巻線ケーブル５５の選択接点５５ａに導通接続させるとともに、微調整部５６でサブオーダの電圧値になるように、例えば、数分の１単位の回転により高精度にボリューム調整することができる。この調整の後に、その調整プラグ５０をＰＴＴ２０内にセットすることによって、系統変更に対応して信頼性高く動作することができるようにリレー盤１２を整定することができ、また、その配電線部Ｄの系統変更が終了して復帰する場合には、単にその調整プラグ５０をＰＴＴ２０内から引き抜くだけで元の精度よく調整されている整定値に再設定することができる。
【００５０】
ここで、この整定手順としては、リレー盤１２に既存の整定機構に電圧調整部５１を加えたことを考慮して、系統変更に基づいて変更すべき分圧比を算出して、その電圧調整部５１の粗調整部５２および微調整部５３による抵抗値を調整すればよい。
【００５１】
詳細には、まずは、事前に行った地絡特性試験から得られる試験結果に基づいて、現在の整定値と変更したい整定値とから変圧比を導き出して電圧調整部５１の粗調整部５２と微調整部５３を仮設定した後に、電圧試験器等で調整プラグ５０の１次側の整定機構（配電線部Ｄ）側の差込電極３２から模擬電圧を入力して、２次側の６４Ｖ１（リレー盤１２）側の差込電極３２から計算通りの電圧が出力されるように、微調整部５３のボリューム抵抗を調整する。この後に、調整済みの調整プラグ５０をＰＴＴ２０に差込セット（装着）して、見掛け上の整定値を変更後の系統に合わせて高精度に調整することができ、この変更された系統での作業が完了した後には、その調整プラグ５０をＰＴＴ２０から引き抜くだけで元の整定値に復帰させることができる。
【００５２】
このように本実施形態においては、調整プラグ５０をＰＴＴ２０にセットするだけで、リレー盤１２の整定機構と６４Ｖ１の間に電圧調整部５１を介在させて、整定済みの整定値を系統変更後の整定値に精度よく調整することができ、リレー盤１２自体の整定値を系統変更毎に調整することを不要にして、その系統を戻す際には、調整プラグ５０を引き抜くだけで整定値を復帰させることができる。したがって、系統変更に拘わらずに、精度よく整定調整することができ、地絡事故などから信頼性高く配電線部Ｄを保護することができる。
【００５３】
また、この調整プラグ５０は、継電器１０に既存のＰＴＴ２０を流用してセットすることができ、設計変更等を必要とすることなく、利用することができる。また、この調整プラグ５０は、配電線部Ｄの相毎に、粗調整部５２と微調整部５３を備える電圧調整部５１が準備されているので、各相毎に精度よく整定調整することができる。
【００５４】
本実施形態の第１の他の態様としては、図示することは省略するが、電圧調整部５１の抵抗値調整を配電線部Ｄの相毎に個別に行うのではなく、１回のピン差込操作やボリューム調整で一括整定できるようにしてもよく、個別調整が不要な場合に、迅速に整定調整を完了することもできる。
【００５５】
また、本実施形態では、既存のＰＴＴ２０を流用する場合を一例に説明するが、必要に応じて調整プラグ５０をセットするのではなく、電圧調整部５１を配線内に切り離し可能に組み込んで常設させてもよく、また、調整プラグ５０の専用の着脱装置を設置してもよい。
【００５６】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００５７】
これまで本発明の一実施形態について説明したが、本発明は上述の実施形態に限定されず、その技術的思想の範囲内において種々異なる形態にて実施されてよいことは言うまでもない。
【符号の説明】
【００５８】
１０    継電器
１２    リレー盤
２０    ターミナル
２１ａ  差込口
２３    本体部
２４    不動電極
２５    可動電極
２６    スプリング
３０    ターミナルプラグ
３１    ベース部材
３１ａ  一端部
３２    差込電極
３３    接続端子部
５０    調整プラグ
５１    電圧調整部
５２    粗調整部
５３    長尺導電バー
５３ａ  差込穴
５４    導電タップピン
５５    変圧用巻線ケーブル
５５ａ  選択接点
５６    微調整部
Ｄ      配電線
【図１】
0005394459.tif 000002
【図２】
0005394459.tif 000003
【図３】
0005394459.tif 000004
【図４】
0005394459.tif 000005
【図５】
0005394459.tif 000006
【図６】
0005394459.tif 000007